【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
動物飼料の調製で1セットの材料に属す材料を混合する際に従う混合レジームを決定するための方法であって、
前記1セットの材料から前記材料を読み取る段階と、
対応する標準混合期間と相互参照される動物飼料の前記調製に使用するのに適している材料もしくは材料のカテゴリのリストを含むマスターテーブルから、前記1セットの材料に属す前記各材料のうちの少なくともいくつかの材料に対する標準混合期間を取得する段階と、
前記読み取られた1セットの材料から識別可能なすべての非標準状態を識別する段階と、
非標準状態が識別されたことに対する応答として、前記1セットの材料に属す前記材料のうちの対応する1つの材料について得られる前記標準混合期間を変更して前記識別された非標準状態を補償するために、前記マスターテーブル内の前記材料または材料のカテゴリのうちの少なくともいくつかと相互参照される混合係数から1つの混合係数を取得する段階と、
前記1セットの材料に属す前記材料のうちの少なくともいくつかの材料が前記混合レジームの混合サイクルにおいて曝される前記混合期間を、前記対応する標準混合期間および任意の対応する識別された混合係数に応じて決定する段階と、
前記1セットの材料に属す前記材料がそれを混合して前記動物飼料を生産するための前記混合サイクルにおいて混合装置内に装填されるべき、前記混合レジームの装填シーケンスを作成し、その結果混合期間が決定されている前記材料が、前記混合レジームに従って、前記1セットの材料の混合時に、前記対応する決定された混合期間にわたって混合操作を受ける段階とを含む方法。
【請求項２】
前記材料が前記混合装置内に装填されるべき、前記混合レジームの前記混合サイクルにおける時点は、前記混合レジームにおいて定義される請求項1に記載の方法。
【請求項３】
動物1頭当たりの前記動物飼料を生産するための前記1セットの材料に属すそれぞれの材料の割合が読み取られる請求項1または2に記載の方法。
【請求項４】
前記マスターテーブルは、コンピュータ可読媒体に格納される請求項1から3のいずれか一項に記載の方法。
【請求項５】
それぞれの混合係数は、前記マスターテーブル内の前記対応する材料もしくは材料のカテゴリの前記標準混合期間に掛ける乗数として与えられ、これにより、その材料もしくは材料のカテゴリに対する前記標準混合期間を変更して前記識別された非標準状態を補償すると共に、前記混合係数は、1に等しいか、または1より大きいか、または1より小さい数であり得る請求項1から4のいずれか一項に記載の方法。
【請求項６】
前記非標準状態は、
前記1セットの材料に属す前記材料のうちの1つの材料の特性、
前記1セットの材料に属す1つの材料によって構成される前記1セットの材料の割合、
前記1セットの材料の特性、
前記動物飼料が給餌される動物の特性、
前記動物飼料が給餌される前記動物のサイズ、
前記動物飼料を生産するために前記1セットの材料に属す前記いくつかの材料を混合する前記混合装置、
前記混合装置のタイプ、および、
前記混合装置のモデル、
のうちのいずれか1つ以上に関係し得る請求項1から5のいずれか一項に記載の方法。
【請求項７】
前記方法は、切り刻み機能を備える混合装置で前記1セットの材料を前記混合する際に使用する前記混合レジームを決定するように適合される請求項1から6のいずれか一項に記載の方法。
【請求項８】
前記方法は、混合槽内に回転可能なように取り付けられている混合ローターを備える混合装置で前記1セットの材料を混合する際に使用する前記混合レジームを決定するように適合されると共に、それぞれの標準混合期間は、前記混合装置の前記混合ローターの回転数の関数として定義される請求項1から7のいずれか一項に記載の方法。
【請求項９】
前記混合レジームは、前記1セットの材料に属す前記各材料が前記混合装置内に装填されるべき時点を、前記各材料が前記混合装置内に装填されるべき、前記混合レジームの前記混合サイクルの開始から時間が経過して回転した前記混合ローターの回転数として定義する請求項8に記載の方法。
【請求項１０】
動物飼料の調製で1セットの材料に属す材料を混合する際に従う混合レジームを決定するためのコンピュータ実装方法であって、
請求項1から9のいずれか一項に記載の方法を含むコンピュータ実装方法。
【請求項１１】
動物飼料の調製で1セットの材料に属す材料を混合する際に従う混合レジームを決定するための装置であって、
対応する標準混合期間と相互参照される動物飼料の調製で使用するのに適している材料または材料のカテゴリのリストを含むマスターテーブルを格納し、
前記対応する材料または材料のカテゴリと相互参照される前記マスターテーブルの前記材料または材料のカテゴリのうちの少なくともいくつかに対する少なくとも1つの混合係数を格納し、それぞれの混合係数は、混合レジームが決定されるべき1セットの材料において非標準状態が識別されたことに応答して、前記対応する材料または材料のカテゴリの標準混合期間を変更するために、前記対応する材料または材料のカテゴリの前記標準混合期間に適用されるように適合され、
前記1セットの材料から前記材料を読み取り、
前記マスターテーブルから、前記1セットの材料に属す前記材料の少なくともいくつかに対する標準混合期間を取得し、
前記1セットの材料から識別可能な非標準状態を識別し、
識別された非標準状態に対する応答として、識別された非標準状態を補償するために前記いくつかの材料のうちの1つの材料について前記格納されている混合係数から1つの混合係数を取得し、
これらの材料が前記混合レジームの混合サイクルにおいて曝される前記1セットの材料に属す前記材料のうちの少なくともいくつかに対する前記混合期間を、前記対応する標準混合期間および任意の対応する混合係数に応じて決定し、
前記1セットの材料に属す前記材料がそれを混合して前記動物飼料を生産するための前記混合サイクルにおいて前記混合装置内に装填されるべき、前記混合レジームの装填シーケンスを作成し、その結果混合期間が決定されている前記材料が、前記混合レジームに従って、前記1セットの材料の混合時に、前記各対応する決定された混合期間にわたって混合操作を受ける
ように構成されたメインコンピュータを備える装置。
【請求項１２】
1セットの材料から動物飼料を調製する際に使用する混合レジームを決定するためのシステムであって、前記システムは請求項11に記載の装置および第1の補助的コンピュータを備え、前記第1の補助的コンピュータは、前記メインコンピュータと通信可能なように、また前記1セットの材料に属す前記材料の入力を助け、その結果前記メインコンピュータが前記第1の補助的コンピュータから前記1セットの材料に属す前記入力された材料を読み取ることができるように構成されると共に、前記メインコンピュータは、前記決定された混合レジームを前記第1の補助的コンピュータに中継するように構成されるシステム。
【請求項１３】
コンピュータ上で実行したときに請求項1から9のいずれか一項に記載の方法を実行するように適合されている、動物飼料の調製で1セットの材料に属す材料を混合する際に従う混合レジームを決定するための1セットのコンピュータ命令を符号化するコンピュータプログラム。